(57)【要約】【課題】    本発明の目的は、土木用袋体を簡易且つ迅速に製造することができる土木用袋体の製造方法及び土木用袋体の製造装置を提供するものである。【解決手段】    土木用袋体の製造装置Ｔは、土木用袋体１を着脱自在に取り付ける吊り枠２と、土木用袋体１を取り付けた状態で吊り枠２を載置して支持する架台３と、吊り枠２に載置して支持されると共に、中詰め材５をガイドする中詰め材投入用ホッパー４とを備え、吊り枠２に取り付けられた土木用袋体１の開口部１Ａに中詰め材投入用ホッパー４の投入出口４Ａが臨み、架台３に吊り枠２が、吊り枠２に中詰め材投入用ホッパー４が、それぞれ分離可能に載置されているものである。【選択図】図３
2019199706.tif 000002
【特許請求の範囲】
【請求項１】
土木用袋体の開口部が開いた状態で吊り枠に取り付け、
前記土木用袋体を取り付けた状態で前記吊り枠を吊り上げて、前記吊り枠を架台に載置して支持し、支持後、前記開口部を介して中詰め材を前記土木用袋体内に投入する
ことを特徴とする土木用袋体の製造方法。
【請求項２】
吊り枠を架台に載置して支持し、支持後、土木用袋体の開口部が開いた状態で前記吊り枠に取り付け、前記開口部を介して中詰め材を前記土木用袋体内に投入する
ことを特徴とする土木用袋体の製造方法。
【請求項３】
中詰め材をガイドする中詰め材投入用ホッパーの出口が土木用袋体の開口部に臨むように中詰め材投入用ホッパーを架台に載置して支持し、前記中詰め材投入用ホッパーを介して前記中詰め材を前記土木用袋体内に投入し、投入後、前記中詰め材投入用ホッパーを前記架台から分離し、分離後、前記開口部を閉じ、その後、前記中詰め材が投入された前記土木用袋体を取り付けた前記吊り枠を前記架台から分離する
ことを特徴とする請求項１又は請求項２記載の土木用袋体の製造方法。
【請求項４】
土木用袋体を着脱自在に取り付ける吊り枠と、
前記土木用袋体を取り付けた状態で前記吊り枠を載置して支持する架台と、
前記吊り枠に載置して支持されると共に、中詰め材をガイドする中詰め材投入用ホッパーとを備え、
前記吊り枠に取り付けられた前記土木用袋体の開口部に前記中詰め材投入用ホッパーの投入出口が臨み、
前記架台に前記吊り枠が、前記吊り枠に前記中詰め材投入用ホッパーが、それぞれ分離可能に載置されている
ことを特徴とする土木用袋体の製造装置。
【発明の詳細な説明】
【技術分野】
【０００１】
本発明は、土木用袋体の製造方法及び土木用袋体の製造装置に係り、特に、土木用袋体を簡易且つ迅速に製造することができる土木用袋体の製造方法及び土木用袋体の製造装置に関する。
【背景技術】
【０００２】
本件出願人は、先に、砂地等の河川や海岸に付設させる堤体などの構造物の下方から砂等が吸い出されて該構造物が崩壊するのを防止する土木用包装体を出願した（例えば、特許文献１参照）。
これは、特許文献１の図２に示すように、立設した枠体（Ｗ）の中に土木用袋体袋体（１）を差し入れて固定し、各小部屋（３）内に充填材（４）を投入して、土木用袋体を製造していた。
土木用袋体が小さい場合は、それ程支障を生じない。
【先行技術文献】
【特許文献】
【０００３】
【特許文献１】特許第５０３５７８１号公報
【発明の概要】
【発明が解決しようとする課題】
【０００４】
ところが、土木用袋体が大きくなると、土木用袋体袋体（１）を枠体（Ｗ）へ取り付けが困難な上、充填材（４）を充填した土木用袋体袋体（１）を枠体（Ｗ）からの離脱が難しいという問題点が生じた。
【０００５】
本発明は、上記問題点を考慮してなされた土木用袋体の製造方法及び土木用袋体の製造装置を提供することを目的とする。
【課題を解決するための手段】
【０００６】
請求項１記載の土木用袋体の製造方法は、土木用袋体の開口部が開いた状態で吊り枠に取り付け、前記土木用袋体を取り付けた状態で前記吊り枠を吊り上げて、前記吊り枠を架台に載置して支持し、支持後、前記開口部を介して中詰め材を前記土木用袋体内に投入するものである。
【０００７】
また、請求項２記載の土木用袋体の製造方法は、吊り枠を架台に載置して支持し、支持後、土木用袋体の開口部が開いた状態で前記吊り枠に取り付け、前記開口部を介して中詰め材を前記土木用袋体内に投入するものである。
【０００８】
また、請求項３記載の土木用袋体の製造方法は、請求項１又は請求項２記載の土木用袋体の製造方法において、中詰め材をガイドする中詰め材投入用ホッパーの出口が土木用袋体の開口部に臨むように中詰め材投入用ホッパーを架台に載置して支持し、前記中詰め材投入用ホッパーを介して前記中詰め材を前記土木用袋体内に投入し、投入後、前記中詰め材投入用ホッパーを前記架台から分離し、分離後、前記開口部を閉じ、その後、前記中詰め材が投入された前記土木用袋体を取り付けた前記吊り枠を前記架台から分離するものである。
【０００９】
また、請求項４記載の土木用袋体の製造装置は、土木用袋体を着脱自在に取り付ける吊り枠と、前記土木用袋体を取り付けた状態で前記吊り枠を載置して支持する架台と、前記吊り枠に載置して支持されると共に、中詰め材をガイドする中詰め材投入用ホッパーとを備え、前記吊り枠に取り付けられた前記土木用袋体の開口部に前記中詰め材投入用ホッパーの投入出口が臨み、前記架台に前記吊り枠が、前記吊り枠に前記中詰め材投入用ホッパーが、それぞれ分離可能に載置されているものである。
【発明の効果】
【００１０】
請求項１記載の土木用袋体の製造方法によれば、土木用袋体の開口部が開いた状態で吊り枠に取り付け、前記土木用袋体を取り付けた状態で前記吊り枠を吊り上げて、前記吊り枠を架台に載置して支持したため、土木用袋体を架台に簡易且つ迅速に支持し、開口部を介して中詰め材を土木用袋体内に投入して簡易且つ迅速に土木用袋体を製造することができる。
【００１１】
また、請求項２記載の土木用袋体の製造方法によれば、土木用袋体の開口部が開いた状態で吊り枠に取り付け、前記土木用袋体を取り付けた状態で前記吊り枠を吊り上げて、前記吊り枠を架台に載置して支持したため、土木用袋体を架台に支持した吊り枠に簡易且つ迅速に支持し、開口部を介して中詰め材を土木用袋体内に投入して簡易且つ迅速に土木用袋体を製造することができる。
【００１２】
また、請求項３記載の土木用袋体の製造方法によれば、上述した請求項１又は請求項２記載の発明の効果に加え、中詰め材投入用ホッパーを用いた分、中詰め材を土木用袋体に効率良く導くことができ、しかも、中詰め材が投入された土木用袋体を架台から容易に分離して簡易且つ迅速に土木用袋体を製造することができる。
【００１３】
また、請求項４記載の土木用袋体の製造装置によれば、架台に吊り枠が、吊り枠に中詰め材投入用ホッパーが、それぞれ分離可能に載置されているため、土木用袋体を取り付けた状態で前記吊り枠を吊り上げて、前記吊り枠を架台に載置し、載置後、中詰め材投入用ホッパーを介して中詰め材を前記土木用袋体内に投入できると共に、投入後、中詰め材が投入された土木用袋体を架台から容易に分離して簡易且つ迅速に土木用袋体を製造することができる。
【図面の簡単な説明】
【００１４】
【図１】図１は、本発明の一実施例の土木用袋体の製造装置の概略的構成図である。
【図２】図２は、図１の土木用袋体に中詰め材が投入される状態を示す概略的図である。
【図３】図３は、図２の概略的側断面図である。
【図４】図４（ａ）は、土木用袋体が吊り枠に取り付けられる前の状態の概略的図であり、図４（ｂ）は、図４（ａ）の概略的正面図である。
【図５】図５（ａ）は、吊り枠に取り付けられた土木用袋体が架台に載置される前の状態の概略的図であり、図５（ｂ）は、図５（ａ）の概略的正面図である。
【図６】図６（ａ）は、吊り枠に取り付けられた土木用袋体が架台に載置された状態の概略的図であり、図６（ｂ）は、図６（ａ）の概略的正面図である。
【図７】図７（ａ）は、中詰め材投入用ホッパーが吊り枠に載置された状態の概略的図であり、図７（ｂ）は、図７（ａ）の概略的正面図である。
【図８】図８（ａ）は、中詰め材が土木用袋体に投入される状態の概略的図であり、図８（ｂ）は、図８（ａ）の概略的正面図である。
【図９】図９は、土木用袋体の開口部が閉じられた状態の概略的斜視図である。
【図１０】図１０は、吊り枠が架台から分離し、中詰め材充填入りの土木用袋体が取り付けられた吊り枠の移動中の概略的図である。
【図１１】図１１は、図１０の中詰め材充填入りの土木用袋体が吊り枠から分離し、載置場所へ載置された状態の写真である。
【図１２】図１２は、土木用袋体の製造装置の概略的平面図である。
【図１３】図１３は、吊り枠に取り付けられた土木用袋体が架台に載置される前の状態の概略的図である。
【図１４】図１４は、図１３の吊り枠が架台に載置されると共に、中詰め材投入用ホッパーが吊り枠に載置された状態の概略的図である。
【図１５】図１５は、図１４の土木用袋体に中詰め材が投入される状態の概略的図である。
【図１６】図１６は、図１５の吊り枠が架台から分離し、中詰め材充填入りの土木用袋体が取り付けられた吊り枠の移動中の概略的図である。
【図１７】図１７は、土木用袋体が吊り枠に取り付けられた状態の写真である。
【図１８】図１８は、図１７の土木用袋体の上方から撮った写真である。
【図１９】図１９は、図１７の土木用袋体が取り付けられた吊り枠が架台に載置される前の写真である。
【図２０】図２０は、図１９の土木用袋体が取り付けられた吊り枠が架台に載置された状態の写真である。
【図２１】図２１は、図２０の吊り枠に中詰め材投入用ホッパーが載置された状態の写真である。
【図２２】図２２は、図２１の中詰め材投入用ホッパーを介して中詰め材を土木用袋体に投入する状態の写真である。
【図２３】図２３は、図２１を別の角度から撮った写真である。
【図２４】図２４は、土木用袋体の開口部を閉じた状態の写真である。
【図２５】図２５は、図２１の吊り枠が架台から分離し、中詰め材充填入りの土木用袋体が取り付けられた吊り枠の移動中を撮った写真である。
【図２６】図２６は、吊り枠を斜め上方から撮った写真である。
【発明を実施するための形態】
【００１５】
本発明の一実施例の土木用袋体の製造方法及び土木用袋体の製造装置を図面（図１乃至図２６）を参照して説明する。
図１に示すＴは土木用袋体の製造装置で、土木用袋体の製造装置Ｔは、土木用袋体１を着脱自在に取り付ける吊り枠２と、土木用袋体１を取り付けた状態で吊り枠２を載置して支持する架台３と、吊り枠２に載置して支持されると共に、中詰め材５をガイドする中詰め材投入用ホッパー４とを備え、吊り枠２に取り付けられた土木用袋体１の開口部１Ａ（図５参照）に中詰め材投入用ホッパー４の投入出口４Ａ（図７参照）が臨み、架台３に吊り枠２が、吊り枠２に中詰め材投入用ホッパー４が、それぞれ分離可能に載置されている。
【００１６】
吊り枠２は、土木用袋体１を取り付けるもので、例えば、図５及び図２６に示すように、長方形状の枠体２１が、側部にロープ取付部２２が、枠体２１の内方に形成された空間部２３が、枠体２１の下方に架台載置部２４が、それぞれ設けられている。
【００１７】
架台３は、吊り枠２に取り付けられた土木用袋体１を受け入れるもので、例えば、図１に示すように、直方形の枠体の二つの脚体３１、３２を連結体３３で連結し、中央部に土木用袋体１を受け入れる空間部３４が形成されている。
【００１８】
中詰め材投入用ホッパー４は、投入された中詰め材５を土木用袋体１に案内するもので、例えば、図１に示すように、ホッパー本体４１に取り付けられ、下方に中詰め材５を案内する下り勾配の第１のガイド部４２、第１のガイド部４２に接続され、中詰め材５を垂下する方向に案内する第２のガイド部４３、第１のガイド部４２と第２のガイド部４３の接続部位の外側の屈曲する部位に設けられた載置部４４が設けられている。
【００１９】
中詰め材５を充填して製造された土木用袋体１は、例えば、人工リーフの下部、突堤・離岸堤の下部、護岸の根固め工等に使用されるものである。
また、中詰め材５は、例えば、砂利石、石材、玉石、割栗石、砕石、栗石、コンクリートガラ等である。
土木用袋体１の大きさは、例えば、縦  約２．０ｍ、横  約１０．０ｍ、高さ  約０．２５ｍの略直方体形状である。
土木用袋体１の材料は、例えば、ポリエステル繊維等である。
【００２０】
このように、架台３に吊り枠２が、吊り枠２に中詰め材投入用ホッパー４が、それぞれ分離可能に載置されているため、土木用袋体１を取り付けた状態で吊り枠２を吊り上げて、吊り枠２を架台３に載置し、載置後、中詰め材投入用ホッパー４を介して中詰め材５を土木用袋体１内に投入できると共に、投入後、中詰め材５が投入された土木用袋体１を架台３から容易に分離して簡易且つ迅速に土木用袋体１を製造することができる。なお、中詰め材投入用ホッパー４は、必ずしも、必要ではない。
【００２１】
次に、土木用袋体の製造方法について、説明する。
先ず、土木用袋体１の上部に設けられた開口部１Ａが開いた状態で吊り枠２に取り付ける。取り付けは、例えば、土木用袋体１に取り付けたロープ１１をロープ取付部２２に取り付ける（図４、図５、図１７及び図１８）。ロープ１１をロープ取付部２２に取り付け、土木用袋体１が垂下した状態においては、開口部１Ａは、開放している（図５参照）。
【００２２】
土木用袋体１を取り付けた状態で吊り枠２を吊り上げる（図５、図１３及び図１９）。吊り上げは、例えば、クレーン６により行う。
吊り上げられた吊り枠２は、架台３に載置して支持される（図２、図６及び図２０）。支持後、開口部１Ａを介して中詰め材５を土木用袋体１内に投入する。投入は、例えば、バックホウ７により行う。
投入後、土木用袋体１内の中詰め材５が所定量に達すると、開口部１Ａを閉じる。
開口部１Ａの閉じは、例えば、土木用袋体１に取り付けられた口縛りロープ１２（図２４）により行う。この実施例においては、中詰め材投入用ホッパー４を用いないが、後述するが、望ましくは、中詰め材５を土木用袋体１内に投入する際、中詰め材投入用ホッパー４を用いるのが良い。
【００２３】
従って、上述した土木用袋体の製造方法によれば、土木用袋体１の開口部１Ａが開いた状態で吊り枠２に取り付け（図１８）、土木用袋体１を取り付けた状態で吊り枠２を吊り上げて、吊り枠２を架台３に載置して支持したため、土木用袋体１を架台３に簡易且つ迅速に載置して支持し、開口部１Ａを介して中詰め材５を土木用袋体１内に投入して簡易且つ迅速に土木用袋体１を製造することができる。
【００２４】
次に、中詰め材投入用ホッパー４を用いて、中詰め材５を土木用袋体１内に投入する場合について、説明する。
土木用袋体１を取り付けた状態で吊り枠２を吊り上げて、吊り枠２を架台３に載置して支持するまでは、上述した実施例と同様であるため、説明を省略する。
吊り枠２を架台３に載置した後、中詰め材５をガイドする中詰め材投入用ホッパー４の投入出口４Ａが土木用袋体１の開口部１Ａに臨むように中詰め材投入用ホッパー４を架台３に載置して支持する（図７及び図２１）。中詰め材投入用ホッパー４の架台３への載置は、例えば、クレーン６により行う。
【００２５】
中詰め材投入用ホッパー４を架台３への載置後、中詰め材投入用ホッパー４を介して中詰め材５を土木用袋体１内に投入する（図２、図３、図８、図１５及び図２２）。
投入後、土木用袋体１内の中詰め材５が所定量に達すると、中詰め材投入用ホッパー４を架台３から分離する（図１０、図１６）。分離は、例えば、クレーン６により行う。
分離後、開口部１Ａを閉じる（図９及び図２４）。開口部１Ａの閉じは、上述の実施例と同様、例えば、土木用袋体１に取り付けられた口縛りロープ１２により行う。
【００２６】
開口部１Ａを閉じた後、中詰め材５が投入された土木用袋体１を取り付けた吊り枠２を載置場所８（例えば、図８参照）に移動し、移動後、吊り枠２から土木用袋体１を分離する。なお、載置場所８は、施工場所、施工場所に設置する前の仮置き場等である。
【００２７】
従って、上述した土木用袋体の製造方法によれば、中詰め材投入用ホッパー４を用いた分、中詰め材５を土木用袋体１に効率良く導くことができ、しかも、中詰め材５が投入された土木用袋体１を架台３から容易に分離して簡易且つ迅速に土木用袋体１を製造することができる。
【００２８】
上述した実施例の土木用袋体の製造方法においては、土木用袋体１の開口部１Ａが開いた状態で吊り枠２に取り付け、土木用袋体１を取り付けた状態で吊り枠２を吊り上げて、吊り枠２を架台３に載置して支持し、支持後、開口部１Ａを介して中詰め材５を土木用袋体１内に投入するようにしたが、本願発明は、これに限らず、土木用袋体の製造方法においては、吊り枠２を架台３に載置して支持し、支持後、土木用袋体１の開口部１Ａが開いた状態で吊り枠２に取り付け、開口部１Ａを介して中詰め材５を土木用袋体１内に投入するようにしても良い。
この土木用袋体の製造方法によれば、土木用袋体１を架台３に支持した吊り枠２に簡易且つ迅速に支持し、開口部１Ａを介して中詰め材５を土木用袋体１内に投入して簡易且つ迅速に土木用袋体１を製造することができる。
【符号の説明】
【００２９】
Ｔ      土木用袋体の製造装置
１      土木用袋体
１Ａ    開口部
２      吊り枠
３      架台
４      中詰め材投入用ホッパー
４Ａ    投入出口
５      中詰め材
【図１】
2019199706.tif 000003
【図２】
2019199706.tif 000004
【図３】
2019199706.tif 000005
【図４】
2019199706.tif 000006
【図５】
2019199706.tif 000007
【図６】
2019199706.tif 000008
【図７】
2019199706.tif 000009
【図８】
2019199706.tif 000010
【図９】
2019199706.tif 000011
【図１０】
2019199706.tif 000012
【図１１】
2019199706.tif 000013
【図１２】
2019199706.tif 000014
【図１３】
2019199706.tif 000015
【図１４】
2019199706.tif 000016
【図１５】
2019199706.tif 000017
【図１６】
2019199706.tif 000018
【図１７】
2019199706.tif 000019
【図１８】
2019199706.tif 000020
【図１９】
2019199706.tif 000021
【図２０】
2019199706.tif 000022
【図２１】
2019199706.tif 000023
【図２２】
2019199706.tif 000024
【図２３】
2019199706.tif 000025
【図２４】
2019199706.tif 000026
【図２５】
2019199706.tif 000027
【図２６】
2019199706.tif 000028
【手続補正書】
【提出日】平成30年5月24日(2018.5.24)
【手続補正１】
【補正対象書類名】明細書
【補正対象項目名】０００２
【補正方法】変更
【補正の内容】
【０００２】
本件出願人は、先に、砂地等の河川や海岸に付設させる堤体などの構造物の下方から砂等が吸い出されて該構造物が崩壊するのを防止する土木用包装体を出願した（例えば、特許文献１参照）。
これは、特許文献１の図２に示すように、立設した枠体（Ｗ）の中に土木用袋体（１）を差し入れて固定し、各小部屋（３）内に充填材（４）を投入して、土木用袋体を製造していた。
土木用袋体が小さい場合は、それ程支障を生じない。
【手続補正２】
【補正対象書類名】明細書
【補正対象項目名】０００４
【補正方法】変更
【補正の内容】
【０００４】
ところが、土木用袋体が大きくなると、土木用袋体（１）を枠体（Ｗ）へ取り付けが困難な上、充填材（４）を充填した土木用袋体（１）を枠体（Ｗ）からの離脱が難しいという問題点が生じた。